(57)【要約】【課題】ＩＤカードとして好適な情報処理装置を提供し、簡単な操作で様々なコンテンツを切替え表示させながらも、情報処理装置の位置に応じて有益なコンテンツを表示する。【解決手段】情報処理装置１０は、情報処理装置１０の変位を検出する変位判定部２２と、情報処理装置１０の位置を検出する位置判定部２３と、情報処理装置１０の複数の位置に対応付けられたそれぞれのコンテンツ、及び規定のコンテンツを記憶した記憶部１３と、位置判定部２３により判定された位置に対応付けられたコンテンツ及び規定のコンテンツを記憶部１３から読み出し、変位判定部２２により判定された変位に応じて読み出した各コンテンツを表示部１２に切替え表示させる制御部２１と、を備えるものである。【選択図】図２
2019160222.tif 000002
【特許請求の範囲】
【請求項１】
表示部と、
本情報処理装置の変位を検出する変位検出部と、
前記情報処理装置の位置を検出する位置検出部と、
複数の位置に対応付けられたそれぞれのコンテンツ、及び規定のコンテンツを記憶した記憶部と、
前記変位検出部により前記情報処理装置による予め定められた変位が検出されると、前記位置検出部により検出された前記情報処理装置の位置に対応付けられたコンテンツ及び前記規定のコンテンツを前記記憶部から読み出し、当該読み出した各コンテンツを前記表示部に切替え表示させる制御部と、を備える情報処理装置。
【請求項２】
前記記憶部には、外部の端末装置の識別情報と該端末装置の位置が対応付けられて記憶されており、
前記位置検出部は、前記端末装置から送信された識別情報を受信する通信部と、前記通信部により受信された識別情報に対応する該端末装置の位置を前記記憶部から読み出し、当該端末装置の位置を前記情報処理装置の位置として判定する第１位置判定部と、を備える請求項１に記載の情報処理装置。
【請求項３】
前記端末装置はビーコンであり、
前記通信部は、前記端末装置としてのビーコンから送信された識別情報を受信する請求項２に記載の情報処理装置。
【請求項４】
前記位置検出部は、ＧＰＳ信号を受信する受信部と、前記受信部により受信された前記ＧＰＳ信号に基づき前記情報処理装置の位置を判定する第２位置判定部と、を備える請求項１に記載の情報処理装置。
【請求項５】
前記情報処理装置の位置及びコンテンツを外部の端末装置から入力する入力部を備え、
前記制御部は、前記コンテンツを前記入力部により入力された位置に対応付けて前記記憶部に記憶させる請求項１乃至請求項４のいずれか１つに記載の情報処理装置。
【請求項６】
前記変位検出部は、前記情報処理装置に生じた加速度又は回転角度を検出する少なくとも１つのセンサーと、前記センサーの検出出力に基づき該情報処理装置の変位を判定する変位判定部と、を備える請求項１乃至請求項５いずれか１つに記載の情報処理装置。
【請求項７】
前記規定のコンテンツは、前記情報処理装置のユーザーを示す識別情報である請求項１乃至請求項６のいずれかに記載の情報処理装置。
【発明の詳細な説明】
【技術分野】
【０００１】
本発明は、表示部を備える携帯可能な情報処理装置に関し、特に、表示部の表示を切り替えるための技術に関する。
【背景技術】
【０００２】
情報処理装置としては、画像を表示部に表示させる際に、当該装置又は表示部の傾きを検出して、この検出した傾きに応じて表示部における画像の表示の向きを変更するものがある（特許文献１及び特許文献２を参照）。また、装置の傾きを検出して、この検出した傾きに応じて表示部における情報の画面レイアウトを変更するものもある（特許文献３を参照）。
【先行技術文献】
【特許文献】
【０００３】
【特許文献１】特許５４２３８９４号公報
【特許文献２】特許５５２７０５５号公報
【特許文献３】特許５８３０９３５号公報
【発明の概要】
【発明が解決しようとする課題】
【０００４】
ここで、社員証などのＩＤカードとして、上記のような情報処理装置を適用することが考えられる。ただし、ＩＤカードは、ユーザーの顔写真、所属部署などの識別情報（コンテンツ）を表示部に表示させる必要がある。また、情報処理装置をＩＤカードとして適用した場合でも、情報処理装置の機能を活用して、簡単な操作で他の様々なコンテンツを表示部に切替え表示できるのが望ましい。しかしながら、上記特許文献１乃至３では、情報処理装置の位置に拘わらず、検出された傾きに応じた内容のコンテンツを表示するだけである。
【０００５】
本発明は、上記の事情に鑑みなされたものであり、ＩＤカードとして好適な情報処理装置を提供し、簡単な操作で様々なコンテンツを切替え表示させながらも、情報処理装置の位置に応じて有益なコンテンツを表示できるようにすることを目的とする。
【課題を解決するための手段】
【０００６】
本発明の一局面に係る情報処理装置は、表示部と、本情報処理装置の変位を検出する変位検出部と、前記情報処理装置の位置を検出する位置検出部と、複数の位置に対応付けられたそれぞれのコンテンツ、及び規定のコンテンツを記憶した記憶部と、前記変位検出部により前記情報処理装置による予め定められた変位が検出されると、前記位置検出部により検出された前記情報処理装置の位置に対応付けられたコンテンツ及び前記規定のコンテンツを前記記憶部から読み出し、当該読み出した各コンテンツを前記表示部に切替え表示させる制御部と、を備えるものである。
【発明の効果】
【０００７】
本発明によれば、ＩＤカードとして好適な情報処理装置を提供し、簡単な操作で様々なコンテンツを切替え表示させながらも、情報処理装置の位置に応じて有益なコンテンツを表示できる。
【図面の簡単な説明】
【０００８】
【図１】本発明の一実施形態にかかる情報処理装置の外観を示す平面図である。
【図２】本実施形態にかかる情報処理装置の内部構成を示すブロック図である。
【図３】情報処理装置の前後方向、縦方向、及び横方向の変位を示す斜視図である。
【図４】（Ａ）は情報処理装置の横方向の回転を示す斜視図であり、（Ｂ）は情報処理装置の縦方向の回転を示す斜視図である。
【図５】複数のビーコン及び該各ビーコンの通信エリアを示す模式図である。
【図６】各ビーコンの識別信号と該各ビーコンの位置を対応付けた位置テーブルを概念的示す図である。
【図７】各ビーコンの位置に対応付けられたそれぞれのコンテンツと、いずれの位置にも対応付けられていない規定のコンテンツとが登録されたコンテンツテーブルを概念的に示す図である。
【図８】（Ａ）、（Ｂ）は、ビーコンの位置に対応付けられたコンテンツを例示する図である。
【図９】（Ａ）、（Ｂ）は、規定のコンテンツを例示する図である。
【図１０】情報処理装置の変位及び位置に応じて切り替え表示される表示部のコンテンツを例示する図である。
【図１１】情報処理装置の振り操作に応じて表示部に表示されるコンテンツを切替えるための処理手順を示すフローチャートである。
【発明を実施するための形態】
【０００９】
以下、本発明の実施形態について図面を参照して説明する。図１は、本発明の一実施形態にかかる情報処理装置の外観を示す斜視図である。また、図２は、本実施形態にかかる情報処理装置の内部構成を示すブロック図である。
【００１０】
本実施形態の情報処理装置１０は、例えば社員証などのＩＤカードであって、制御ユニット１１と、表示部１２と、記憶部１３と、ネットワーク通信部１４（図２ではＮＷ通信部）と、近距離通信部１５（図２ではＮＦ通信部）と、加速度センサー１６と、角速度センサー１７とを備えている。これらの構成要素は、互いにバスを通じてデータ又は信号の送受信が可能とされている。
【００１１】
表示部１２は、液晶ディスプレイ（ＬＣＤ：Liquid Crystal Display）や有機ＥＬ（ＯＬＥＤ：Organic Light-Emitting Diode）などから構成される。
【００１２】
記憶部１３は、大容量の書き換え可能な不揮発性メモリー（ＥＥＰＲＯＭなど）等であって、表示部１２に表示される複数のコンテンツなどを記憶している。
【００１３】
ネットワーク通信部１４は、不図示のＬＡＮチップなどの通信モジュールを備える通信インターフェイスである。このネットワーク通信部１４は、公衆回線網等のネットワークを介してサーバーなどに接続され、サーバーなどとの間でデータ通話を行う。
【００１４】
また、近距離通信部１５は、例えばblue tooth等の通信インターフェイスであって、外部の発信機（ビーコン）との間でデータ通信を行う。
【００１５】
加速度センサー１６は、既知の３軸の加速度センサーであり、情報処理装置１０（特に表示部１２）のＸ軸、Ｙ軸、Ｚ軸の３方向の加速度を検出して、３方向の加速度を示すそれぞれの検出信号ＸＳ、ＹＳ、ＺＳを出力する。加速度センサー１６が情報処理装置１０に内蔵されているので、この加速度センサー１６により情報処理装置１０に作用した３方向の加速度が検出されることとなる。
【００１６】
角速度センサー１７は、既知の角速度センサーであり、情報処理装置１０（特に表示部１２）の基準軸周りの回転角度を検出する。角速度センサー１７が情報処理装置１０に内蔵されているので、この角速度センサー１７により基準軸周りの情報処理装置１０の回転角度が検出されることとなる。また、ここでは、２つの角速度センサー１７が設けられている。一方の角速度センサー１７は、情報処理装置１０の横方向Ｈの回転を検出し、その回転角度を示す検出信号ＨＳを出力する。他方の角速度センサー１７は、情報処理装置１０の縦方向Ｖの回転を検出し、その回転角度を示す検出信号ＶＳを出力する。
【００１７】
制御ユニット１１は、プロセッサー、ＲＡＭ(Random Access Memory）、及びＲＯＭ（Read Only Memory）などから構成される。プロセッサーは、ＣＰＵ（Central Processing Unit）、ＭＰＵ、ＡＳＩＣ等である。制御ユニット１１は、上記のＲＯＭ又は記憶部１３に記憶された制御プログラムが上記プロセッサーで実行されることにより、制御部２１、変位判定部２２、位置判定部２３、及び通信制御部２４として機能する。なお、制御ユニット１１の上記の各構成要素は、前述の制御プログラムに基づく動作によらず、それぞれハード回路により構成されてもよい。
【００１８】
制御部２１は、全体的な動作制御を行うが、主に表示部１２の表示制御を行う。通信制御部２４は、通信部１４の通信動作を制御する。
【００１９】
変位判定部２２は、加速度センサー１６の各検出信号ＸＳ、ＹＳ、ＺＳ及び２つの角速度センサー１７の検出信号ＨＳ、ＶＳを入力して、これらの検出信号に基づき、情報処理装置１０の変位を判定する。例えば、変位判定部２２は、該検出信号ＸＳが予め設定された第１閾値を超えると横方向に振られたと判定し、検出信号ＹＳが予め設定された第１閾値を超えると、図３に示すように情報処理装置１０が縦方向に振られたと判定し、検出信号ＺＳが予め設定された第１閾値を超えると、図３に示すように情報処理装置１０が前後方向に振られたと判定する。
【００２０】
また、変位判定部２２は、上記各検出信号ＨＳが予め設定された第２閾値を超えると、図４（Ａ）に示すように情報処理装置１０が横方向Ｈ回転又は往復回転された（振られた）と判定し、上記各検出信号ＶＳが予め設定された第２閾値を超えると、図４（Ｂ）に示すように情報処理装置１０が縦方向Ｖに回転又は往復回転された（振られた）と判定する。
【００２１】
更に、変位判定部２２は、加速度センサー１６の各検出信号ＸＳ、ＹＳ、ＺＳ及び２つの角速度センサー１７の検出信号ＨＳ、ＶＳに基づき、情報処理装置１０が他の様々な方向に振られたか否かを判定する。
【００２２】
すなわち、ユーザーが情報処理装置１０を振ったときに、変位判定部２２は、その振れを判定することができる。
【００２３】
位置判定部２３は、情報処理装置１０の位置を判定する。例えば、図５に示すように情報処理装置１０のユーザーが複数のビーコン（Beacon）Ｂ１〜ＢＮの通信エリアＥ１〜ＥＮに移動可能であるものとする。各ビーコンは、固有の識別情報を情報処理装置に送信する機能を有する。また、図６に示すように各ビーコンＢ１〜ＢＮの識別信号と該各ビーコンＢ１〜ＢＮの位置Ｐ１〜ＰＮを対応付けた位置テーブルＰＴが記憶部１３に予め記憶されている。ここで、情報処理装置１０のユーザーが各通信エリアＥ１〜ＥＮのいずれかに移動すると、近距離通信部１５は、その移動した通信エリアのビーコンから送信された識別信号を受信する。位置判定部２３は、その受信した識別信号に対応する位置を位置テーブルＰＴから読み出して、この読み出した位置を情報処理装置１０の位置として判定する。従って、情報処理装置１０の位置として、各ビーコンＢ１〜ＢＮの位置Ｐ１〜ＰＮのいずれかが判定される。
【００２４】
また、記憶部１３には、図７に示すようなコンテンツテーブルＣＴが予め記憶されている。この図７に示すコンテンツテーブルＣＴには、各ビーコンＢ１〜ＢＮの位置Ｐ１〜ＰＮに対応付けられたそれぞれのコンテンツＣ１〜ＣＮと、いずれの位置にも対応付けられていない規定のコンテンツＹＣ、ＬＣとが登録されている。
【００２５】
ビーコンの位置に対応付けられたコンテンツは、該位置に所在するときに有益となる情報をユーザーに提供するコンテンツである。例えば、ビーコンＢ１が食堂に配置されている場合は、ビーコンＢ１の位置Ｐ１に対応するコンテンツＣ１が図８（Ａ）に示すような食堂のメニューである。あるいは、ビーコンＢ２が会議室に配置されている場合は、ビーコンＢ２の位置Ｐ２に対応するコンテンツＣ２が図８（Ｂ）に示すような会議室の予定表などである。
【００２６】
また、規定のコンテンツは、例えば図９（Ａ）に示すようなユーザーの顔写真、所属部署などの識別情報（コンテンツ）ＹＣ、及び図９（Ｂ）に示すような企業のロゴタイプ（コンテンツ）ＬＣである。これらのコンテンツＹＣ、ＬＣは、情報処理装置１０をＩＤカードとして用いるために必要なコンテンツである。
【００２７】
ここで、情報処理装置１０のユーザーが各通信エリアＥ１〜ＥＮのいずれにも侵入していない場合は、近距離通信部１５がビーコンから送信された識別信号を受信することはなく、よって位置判定部２３がその受信した識別信号に対応する位置を位置テーブルＰＴから読み出すこともない。この位置判定部２３による情報処理装置１０の位置の判定が行われないときには、制御部２１は、いずれの位置にも対応付けられていない２つの規定のコンテンツＹＣ、ＬＣをコンテンツテーブルＣＴから読み出して、各コンテンツＹＣ、ＬＣのいずれかを表示部１２に表示させる。そして、ユーザーが情報処理装置１０を振って、変位判定部２２により振れが判定される度に、制御部２１は、各コンテンツＹＣ、ＬＣを表示部１２に交互に切替え表示させる。
【００２８】
従って、情報処理装置１０のユーザーが通信エリアに侵入していない場合は、ユーザーが情報処理装置１０を振る度に、いずれの位置にも対応付けられていない２つのコンテンツＹＣ、ＬＣが表示部１２に交互に切替え表示される。
【００２９】
また、例えば情報処理装置１０のユーザーが通信エリアＥ１に侵入している場合は、近距離通信部１５が通信エリアＥ１のビーコンＢ１から送信された識別信号を受信して、位置判定部２３がその受信した識別信号に対応する位置Ｐ１を位置テーブルＰＴから読み出し、この読み出した位置Ｐ１を情報処理装置１０の位置として判定する。制御部２１は、その判定された位置Ｐ１に対応付けられたコンテンツＣ１及びいずれの位置にも対応付けられていない２つの規定のコンテンツＹＣ、ＬＣをコンテンツテーブルＣＴから読み出し、変位判定部２２により振れが判定される度に、２つの規定のコンテンツＹＣ、ＬＣ及び位置Ｐ１に対応付けられたコンテンツＣ１を表示部１２に順次切替え表示させる。
【００３０】
従って、情報処理装置１０のユーザーが通信エリアＥ１に侵入している場合は、ユーザーが情報処理装置１０を振る度に、図１０に示すように、２つの規定のコンテンツＹＣ、ＬＣ及び位置Ｐ１に対応付けられたコンテンツＣ１が表示部１２に順次サイクリックに切替え表示される。
【００３１】
尚、情報処理装置１０のユーザーが他の通信エリアに侵入している場合は、ユーザーが情報処理装置１０を振る度に、２つの規定のコンテンツＹＣ、ＬＣ及び他の通信エリアのビーコンの位置に対応付けられたコンテンツが表示部１２に順次サイクリックに切替え表示される。
【００３２】
次に、そのようなユーザーによる情報処理装置１０の振り操作に応じて表示部１２に表示されるコンテンツを切替えるための処理手順を、図１１に示すフローチャートを参照して説明する。
【００３３】
まず、ユーザーは、情報処理装置１０のストラップＳＴを自分の首に掛けて、情報処理装置１０をぶら下げ、また情報処理装置１０のスイッチをオンにして、情報処理装置１０を起動させる（Ｓ１０１）。制御部２１は、情報処理装置１０が起動されると、例えば一方の規定のコンテンツＹＣをコンテンツテーブルＣＴから読み出して、この一方の規定のコンテンツＹＣを表示部１２に表示させる（Ｓ１０２）。
【００３４】
この状態で、制御部２１は、変位判定部２２による情報処理装置１０の振れの判定を待機する（Ｓ１０３「Ｎｏ」）。尚、ユーザーの首に情報処理装置１０がぶら下げられた状態では、情報処理装置１０がユーザーの動きに伴って揺らされるものの、その揺れが小さく、加速度センサー１６の各検出信号ＸＳ、ＹＳ、ＺＳが第１閾値を超えることはなく、また各角速度センサー１７の検出信号ＨＳ、ＶＳが第２閾値を超えることはなく、よって変位判定部２２により情報処理装置１０の振れが判定されることはないものとする。
【００３５】
ここで、ユーザーが情報処理装置１０を手に持って振ると、加速度センサー１６の各検出信号ＸＳ、ＹＳ、ＺＳが第１閾値を超えるか、又は各角速度センサー１７の検出信号ＨＳ、ＶＳが第２閾値を超えて、変位判定部２２により情報処理装置１０の振れが判定される（Ｓ１０３「Ｙｅｓ」）。制御部２１は、情報処理装置１０の振れが判定されると、位置判定部２３により情報処理装置１０の位置が判定されているか否かを判定する（Ｓ１０４）。
【００３６】
このとき、情報処理装置１０のユーザーが各通信エリアＥ１〜ＥＮのいずれにも侵入せず、よって位置判定部２３により情報処理装置１０の位置が判定されていなければ（ステップＳ１０４「Ｎｏ」）、制御部２１は、他方の規定のコンテンＬＣをコンテンツテーブルＣＴから読み出して、この他方のコンテンツＬＣを表示部１２に表示させて、一方の規定のコンテンツＹＣから他方の規定のコンテンツＬＣへと表示を切替える（Ｓ１０５）。
【００３７】
以降、位置判定部２３により情報処理装置１０の位置が判定されていない状態では（ステップＳ１０４「Ｎｏ」）、ユーザーが情報処理装置１０を振って、変位判定部２２により情報処理装置１０の振れが判定される度に（Ｓ１０３「Ｙｅｓ」）、２つの規定のコンテンツＹＣ、ＬＣが表示部１２に交互に切替え表示される（ステップＳ１０５）。
【００３８】
また、変位判定部２２により情報処理装置１０の振れが判定されたときに（Ｓ１０３「Ｙｅｓ」）、位置判定部２３により情報処理装置１０の位置が判定されているものとする（Ｓ１０４「Ｙｅｓ」）。例えば、情報処理装置１０のユーザーが通信エリアＥ１に侵入している場合は、近距離通信部１５が通信エリアＥ１のビーコンＢ１から送信された識別信号を受信して、位置判定部２３がその受信した識別信号に対応する位置Ｐ１を位置テーブルＰＴから読み出して、この読み出した位置Ｐ１が情報処理装置１０の位置として判定される。制御部２１は、その判定された位置Ｐ１に対応付けられたコンテンツＣ１をコンテンツテーブルＣＴから読み出して取得する（Ｓ１０６）。
【００３９】
そして、制御部２１は、位置Ｐ１に対応付けられたコンテンツＣ１の表示順序を２つの規定のコンテンツＹＣ、ＬＣに続く表示順序に設定し、変位判定部２２による振れの判定の時点（Ｓ１０３「Ｙｅｓ」）で表示部１２に表示されていたコンテンツの次の表示順序のコンテンツを表示部１２に表示させる（Ｓ１０７）。例えば、その時点で規定のコンテンツＹＣが表示されていたならば、次の表示順序の規定のコンテンツＬＣが表示され、またその時点で規定のコンテンツＬＣが表示されていたならば、次の表示順序の位置Ｐ１に対応付けられたコンテンツＣ１が表示される。
【００４０】
この後、制御部２１は、位置判定部２３により判定された情報処理装置１０の位置が変化したか否かを判定すると共に（Ｓ１０８）、変位判定部２２による情報処理装置１０の振れの再度の判定を待機する（Ｓ１０９）。
【００４１】
例えば、位置判定部２３により判定された情報処理装置１０の位置が変化せず（Ｓ１０８「Ｎｏ」）、ユーザーが情報処理装置１０を振って、変位判定部２２により情報処理装置１０の振れが判定されると（Ｓ１０９「Ｙｅｓ」）、制御部２１は、２つの規定のコンテンツＹＣ、ＬＣ及び位置Ｐ１に対応付けられたコンテンツＣ１のうちから次の表示順序のコンテンツを選択して、この選択したコンテンツを表示部１２に表示させて、コンテンツの表示を切替える（Ｓ１１０）。例えば、規定のコンテンツＬＣが表示されていたならば、次の表示順序の位置Ｐ１に対応付けられたコンテンツＣ１が表示され、またコンテンツＣ１が表示されていたならば、次の表示順序の規定のコンテンツＹＣが表示される。
【００４２】
以降、位置判定部２３により判定された情報処理装置１０の位置が変化しない状態では（Ｓ１０８「Ｎｏ」）、ユーザーが情報処理装置１０を振って、変位判定部２２により情報処理装置１０の振れが判定される度に（Ｓ１０９「Ｙｅｓ」）、２つの規定のコンテンツＹＣ、ＬＣ及び位置Ｐ１に対応付けられたコンテンツＣ１が表示部１２に順次サイクリックに切替え表示される（ステップＳ１１０）。
【００４３】
また、情報処理装置１０のユーザーが通信エリアＥ１の外に出るか又は他の通信エリアに移動すると、制御部２１は、位置判定部２３により判定された情報処理装置１０の位置が変化したと判定して（Ｓ１０８「Ｙｅｓ」）、２つの規定のコンテンツＹＣ、ＬＣのいずれかを表示部１２に表示させ、Ｓ１０２からの処理に戻る。
【００４４】
このように本実施形態の情報処理装置１０では、情報処理装置１０のユーザーがビーコンの通信エリアに侵入している場合は、ユーザーが情報処理装置１０を振る度に、２つの規定のコンテンツＹＣ、ＬＣ及び該ビーコンの位置に対応付けられたコンテンツが表示部１２に順次サイクリックに切替え表示される。従って、情報処理装置１０を振るという簡単な操作を行うだけで、２つの規定のコンテンツ及び情報処理装置１０の位置に対応するコンテンツを切替え表示させることができる。
【００４５】
尚、上記実施形態では、情報処理装置１０の位置（ビーコンの位置）に対応付けて１つのコンテンツを設定しているが、複数のコンテンツを設定してもよい。この場合は、ユーザーが情報処理装置１０を振る度に、規定のコンテンツ及び情報処理装置１０の位置に対応付けられた各コンテンツが順次切替え表示される。
【００４６】
また、上記実施形態では、ビーコンから送信された識別信号を情報処理装置１０で受信して、この受信した識別信号に対応するビーコンの位置を情報処理装置１０の位置として判定しているが、複数のＧＰＳ衛星から送信されたそれぞれのＧＰＳ信号を受信するＧＰＳ受信部と、これらのＧＰＳ信号に基づき情報処理装置１０の位置を判定する判定部を設けて、情報処理装置１０の位置を判定してもよい。この場合は、ＧＰＳ信号に基づき判定された情報処理装置１０の位置に対応するコンテンツをコンテンツテーブルから読み出して表示部１２に表示させる。
【００４７】
また、情報処理装置１０の位置及び該位置に対応するコンテンツを外部の端末装置から入力してコンテンツテーブルに記憶させてもよい。外部の端末装置としては、情報処理装置１０を、ネットワークを通じて接続可能なサーバーやＵＳＢを通じて接続可能なパーソナルコンピューターなどがある。
【００４８】
また、一般的なＩＣカードと同様のＩＣチップを情報処理装置１０に内蔵させたり、情報処理装置１０の本体筐体の外側に識別情報を示すバーコードや磁気ストライプを設けたりして構わない。
【００４９】
また、情報処理装置１０をユーザーの身体に着脱自在に取付けるためにストラップＳＴを用いているが、クリップなどの他の部材を用いても構わない。
【００５０】
また、図１乃至図１１を用いて説明した上記実施形態の構成は、本発明の一例に過ぎず、本発明を当該構成に限定する趣旨ではない。
【符号の説明】
【００５１】
１０    情報処理装置
１１    制御ユニット
１２    表示部
１３    記憶部
１４    ネットワーク通信部
１５    近距離通信部
１６    加速度センサー
１７    角速度センサー
２１    制御部
２２    変位判定部
２３    位置判定部
２４    通信制御部
【図１】
2019160222.tif 000003
【図２】
2019160222.tif 000004
【図３】
2019160222.tif 000005
【図４】
2019160222.tif 000006
【図５】
2019160222.tif 000007
【図６】
2019160222.tif 000008
【図７】
2019160222.tif 000009
【図８】
2019160222.tif 000010
【図９】
2019160222.tif 000011
【図１０】
2019160222.tif 000012
【図１１】
2019160222.tif 000013